(57)【要約】      （修正有）【課題】認証処理に起因した接続機器の出力変動による利用者の不快感を低減させることのできる車載機器を提供する。【解決手段】出力部に第１機器が接続されている状態で、車載機器をソース機器として認証するとともに第１機器をシンク機器として認証するための第１認証処理を行う第１認証手段Ｓ１２と、出力部から第１機器に対してデジタルコンテンツが出力されている状態で、入力部に第２機器が接続されたときに、当該車載機器をシンク機器として認証するとともに第２機器をソース機器として認証するための第２認証処理を行う第２認証手段Ｓ１５と、判定手段Ｓ１８と、判定手段により第２機器から第１機器にデジタルコンテンツを提供するための条件が満たされていると判定されたときに、当該車載機器を、リピータ機器として認証するための第３認証処理を行う第３認証手段Ｓ２０とを有する。【選択図】図３
2015220467.tif 000002
【特許請求の範囲】
【請求項１】
所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器であって、
前記出力部に前記所定のインタフェース規格に適合した第１機器が接続されている状態で、当該車載機器及び前記第１機器において当該車載機器をデジタルコンテンツの送信側のソース機器として認証するとともに前記第１機器をデジタルコンテンツの受信側のシンク機器として認証するための第１認証処理を行う第１認証手段と、
前記出力部から前記シンク機器として認証された前記第１機器に対してデジタルコンテンツが出力されている状態で、前記入力部に前記所定のインタフェース規格に適合した第２機器が接続されたときに、当該車載機器及び前記第２機器において当該車載機器を前記シンク機器として認証するとともに前記第２機器を前記ソース機器として認証するための第２認証処理を行う第２認証手段と、
前記ソース機器として認証された前記第２機器から前記シンク機器として認証された前記第１機器にデジタルコンテンツを提供するための条件が満たされているか否かを判定する判定手段と、
該判定手段により前記第２機器から前記第１機器にデジタルコンテンツを提供するための条件が満たされていると判定されたときに、当該車載機器、前記第２機器、及び前記第１機器において、当該車載機器を、前記ソース機器として認証された前記第２機器と前記シンク機器として認証された前記第１機器との間でデジタルコンテンツを中継するリピータ機器として認証するための第３認証処理を行う第３認証手段とを有し、
当該第３認証手段による第３認証処理が終了した後、前記入力部から入力する前記第２機器からのデジタルコンテンツを中継して前記出力部から前記第１機器に出力する車載機器。
【請求項２】
前記入力部に接続された機器を、前記出力部から出力すべきデジタルコンテンツのソース機器として選択する選択手段を有し、
前記判定手段は、前記選択手段により前記第２機器が、前記出力部から出力すべきデジタルコンテンツのソース機器として選択されたときに、前記第２機器から前記第１機器にデジタルコンテンツを提供するための条件が満たされたと判定する請求項１記載の車載機器。
【請求項３】
前記選択手段により前記第２機器が前記出力部から出力すべきデジタルコンテンツのソース機器として選択されたときに、それまで行われていた前記出力部から前記第１機器に対する前記デジタルコンテンツの出力を停止させるコンテンツ出力停止制御手段を有する請求項２記載の車載機器。
【請求項４】
所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器であって、
前記出力部に前記所定のインタフェース規格に適合した第１機器が接続されている状態で、当該車載機器及び前記第１機器において当該車載機器を前記所定のインタフェース規格に定められたデジタルコンテンツの送信側のソース機器として認証するとともに前記第１機器を前記所定のインタフェース規格に定められたデジタルコンテンツの受信側のシンク機器として認証するための第１認証処理を行う第１認証手段と、
前記出力部から前記シンク機器として認証された前記第１機器に対してデジタルコンテンツが出力されている状態で、前記入力部に前記所定のインタフェース規格に適合した第２機器が接続されたときに、当該車載機器及び前記第２機器において当該車載機器を前記シンク機器として認証するとともに前記第２機器を前記ソース機器として認証するための第２認証処理を行う第２認証手段と、
当該車載機器、前記第２機器、及び前記第１機器において、当該車載機器を、前記ソース機器として認証された前記第２機器と前記シンク機器として認証された前記第１機器との間でデジタルコンテンツを中継するリピータ機器として認証するための第３認証処理を行う第３認証手段とを有し、
該第３認証手段による第３認証処理が終了した後、前記入力部から入力する前記第２機器からのデジタルコンテンツを中継して前記出力部から前記第１機器に出力し、
更に、前記ソース機器として認証された前記第２機器から前記シンク機器として認証された前記第１機器にデジタルコンテンツを提供するための条件が満たされているか否かを判定する判定手段と、
該判定手段により前記第２機器から前記第１機器にデジタルコンテンツを提供するための条件が満たされていないと判定されているときに、前記第３認証手段による前記第３認証処理を保留させる認証保留制御手段とを有する車載機器。
【請求項５】
所定のインタフェース規格に適合した機器からのデジタルコンテンツを入力する入力部と、前記所定のインタフェース規格に適合した機器にデジタルコンテンツを出力する出力部とを有する車載機器を含む車載システムでの機器認証方法であって、
前記車載機器の前記出力部に前記所定のインタフェース規格に適合した第１機器が接続されている状態で、前記車載機器及び前記第１機器において、前記車載機器を前記所定のインタフェース規格に定められたデジタルコンテンツの送信側のソース機器として認証するとともに前記第１機器を前記所定のインタフェース規格に定められたデジタルコンテンツの受信側のシンク機器として認証する第１認証ステップと、
前記車載機器の前記出力部から前記シンク機器として認証された前記第１機器に対してデジタルコンテンツが出力されている状態で、前記車載機器の前記入力部に前記所定のインタフェース規格に適合した第２機器が接続されたときに、前記車載機器及び前記第２機器において、前記車載機器を前記シンク機器として認証するとともに前記第２機器を前記ソース機器として認証する第２認証ステップと、
前記車載機器において、前記ソース機器として認証された前記第２機器から前記シンク機器として認証された前記第１機器にデジタルコンテンツを提供するための条件が満たされているか否かを判定する判定ステップと、
該判定ステップにより前記第２機器から前記第１機器にデジタルコンテンツを提供するための条件が満たされていると判定されたときに、前記車載機器、前記第２機器、及び前記第１機器において、前記車載機器を、前記ソース機器として認証された前記第２機器と前記シンク機器として認証された前記第１機器との間でデジタルコンテンツを中継するリピータ機器として認証する第３認証ステップとを有する機器認証方法。
【請求項６】
所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器を含む車載システムでの機器認証方法であって、
前記車載機器の前記出力部に前記所定のインタフェース規格に適合した第１機器が接続されている状態で、前記車載機器及び前記第１機器において、前記車載機器を前記所定のインタフェース規格に定められたデジタルコンテンツの送信側のソース機器として認証するとともに前記第１機器を前記所定のインタフェース規格に定められたデジタルコンテンツの受信側のシンク機器として認証する第１認証ステップと、
前記車載機器の前記出力部から前記シンク機器として認証された前記第１機器に対してデジタルコンテンツが出力されている状態で、前記車載機器の前記入力部に前記所定のインタフェース規格に適合した第２機器が接続されたときに、前記車載機器及び前記第２機器において、前記車載機器を前記シンク機器として認証するとともに前記第２機器を前記ソース機器として認証する第２認証ステップと、
前記車載機器、前記第２機器、及び前記第１機器において、前記車載機器を、前記ソース機器として認証された前記第２機器と前記シンク機器として認証された前記第１機器との間でデジタルコンテンツを中継するリピータ機器として認証する第３認証ステップと、
前記車載機器において、前記ソース機器として認証された前記第２機器から前記シンク機器として認証された前記第１機器にデジタルコンテンツを提供するための条件が満たされているか否かを判定する判定手段と、
該判定ステップにより前記第２機器から前記第１機器にデジタルコンテンツを提供するための条件が満たされていないと判定されているときに、前記第３認証ステップによる前認証を保留させる認証保留制御ステップとを有する機器認証方法。
【発明の詳細な説明】
【技術分野】
【０００１】
本発明は、ＨＤＭＩ（登録商標）（High Definition Multimedia Interface）等の所定のインタフェース規格に適合した機器が接続され該機器からのデジタルコンテンツを入力する入力部と、前記所定のインタフェース規格に適合した機器が接続され該機器にデジタルコンテンツを出力する出力部とを有する車載機器、及び、その車載機器を含む車載システムでの機器認証方法に関する。
【背景技術】
【０００２】
デジタルテレビチューナと、前席及び後席のそれぞれに設けられたディスプレイモニタと、ナビゲーション装置とを含む車載システムが提案されている（特許文献１）。この車載システムでは、当該車載システムにおけるシステムマスタとしてのナビゲーション装置からの指示に従って、ソース機器としてのデジタルテレビチューナによって、ナビゲーション装置が正当なリピータ機器として認証されるとともに、デジタル映像コンテンツを表示させるべきディスプレイモニタが正当なシンク機器として認証される。その認証後に、ソース機器としてのデジタルテレビチューナから出力されるデジタル映像コンテンツがリピータ機器としてのナビゲーション装置を中継してソース機器としてのディスプレイモニタに配信され、そのディスプレイモニタに前記デジタルテレビチューナから出力されるデジタル映像コンテンツが表示される。
【先行技術文献】
【特許文献】
【０００３】
【特許文献１】特開２００８−２１１３３８号公報
【発明の概要】
【発明が解決しようとする課題】
【０００４】
特許文献１に記載される前記車載システムでは、デジタル映像コンテンツを出力（表示）すべきディスプレイモニタが変更された場合（配信経路の変更）、例えば、前後座席の両ディスプレイモニタにデジタル映像コンテンツを配信する状態から前席のディスプレイモニタだけにデジタル映像コンテンツを配信する状態に変更された場合、ナビゲーション装置からの指示に基づいてデジタルテレビチューナからのデジタル映像コンテンツの配信が一時停止され、変更後のディスプレイモニタの正当なシンク機器としての認証が行われる。このため、特許文献１では、変更前後で共通するディスプレイモニタ（前記例における前席のディスプレイモニタ）の映像が一時的に黒色になってしまい、利用者に不快感を与えてしまうという問題が指摘されている。
【０００５】
ところで、例えば、ＨＤＭＩ（High Definition Multimedia Interface）に適合した機器が接続されて該機器からのデジタルコンテンツを入力する入力部と、前記ＨＤＭＩに適合した機器が接続されて該機器にデジタルコンテンツを出力する出力部とを有する車載機器を含む車載システムが知られている。このような車載システムにおいても、車載機器の前記出力部にＨＤＭＩに適合した第１機器（例えば、後部座席に設けられた表示器）が接続され、車載機器の前記入力部に前記ＨＤＭＩに適合した第２機器（例えば、スマートフォン）が接続された場合、前記第１機器のシンク機器としての認証、前記第２機器のソース機器としての認証、前記車載機器のリピータ機器としての認証が行われる。例えば、車載機器の出力部から第１機器（後部座席に設けられた表示器）にデジタル映像コンテンツが出力されて、そのデジタル映像コンテンツが前記第１機器から出力（表示）されている状態で、車載機器の入力部に第２機器（スマートフォン）が接続された際に、車載機器、第１機器及び第２機器において、前記車載機器のリピータ機器としての認証が行われる際に、車載機器の出力部から第１機器に対するデジタル映像コンテンツの出力が一時的に中断されて、第１機器のデジタルコンテンツの出力（例えば、表示）が一時的に停止（例えば、映像が一時的に黒色になる）されてしまい、利用者に不快感を与えてしまうという、特許文献１に記載されるシステムと同様の問題が生じ得る。
【０００６】
本発明は、上述したような事情に鑑みてなされたもので、認証処理に起因した接続機器の出力変動による利用者の不快感を低減させることのできる車載機器を提供するものである。
【０００７】
また、本発明は、上記車載機器を含む車載システムでの機器認証方法を提供するものである。
【課題を解決するための手段】
【０００８】
本発明に係る車載機器は、所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器であって、前記出力部に前記所定のインタフェース規格に適合した第１機器が接続されている状態で、当該車載機器及び前記第１機器において当該車載機器をデジタルコンテンツの送信側のソース機器として認証するとともに前記第１機器をデジタルコンテンツの受信側のシンク機器として認証するための第１認証処理を行う第１認証手段と、前記出力部から前記シンク機器として認証された前記第１機器に対してデジタルコンテンツが出力されている状態で、前記入力部に前記所定のインタフェース規格に適合した第２機器が接続されたときに、当該車載機器及び前記第２機器において当該車載機器を前記シンク機器として認証するとともに前記第２機器を前記ソース機器として認証するための第２認証処理を行う第２認証手段と、前記ソース機器として認証された前記第２機器から前記シンク機器として認証された前記第１機器にデジタルコンテンツを提供するための条件が満たされているか否かを判定する判定手段と、該判定手段により前記第２機器から前記第１機器にデジタルコンテンツを提供するための条件が満たされていると判定されたときに、当該車載機器、前記第２機器、及び前記第１機器において、当該車載機器を、前記ソース機器として認証された前記第２機器と前記シンク機器として認証された前記第１機器との間でデジタルコンテンツを中継するリピータ機器として認証するための第３認証処理を行う第３認証手段とを有し、当該第３認証手段による第３認証処理が終了した後、前記入力部から入力する前記第２機器からのデジタルコンテンツを中継して前記出力部から前記第１機器に出力する構成となる。
【０００９】
このような構成により、車載機器の出力部に所定のインタフェース規格に適合した第１機器が接続されると、当該車載機器がソース機器として認証されるとともに、前記第１機器がシンク機器として認証され、当該車載機器の前記出力部からデジタルコンテンツが前記第１機器に出力される。そして、前記出力部から前記シンク機器として認証された前記第１機器に対してデジタルコンテンツが出力されている状態で、前記入力部に前記所定のインタフェース規格に適合した第２機器が接続されたときに、当該車載機器がシンク機器として認証されるとともに、前記第２機器が前記ソース機器として認証される。この時点で、即座に、車載機器がソース機器として認証された前記第２機器からのデジタルコンテンツをシンク機器として認証された前記第１機器に中継するリピータ機器として認証されることなく、前記ソース機器として認証された前記第２機器から前記シンク機器として認証された前記第１機器にデジタルコンテンツを提供するための条件が満たされた時点で、当該車載機器がソース機器として認証された前記第２機器からのデジタルコンテンツをシンク機器として認証された前記第１機器に中継するリピータ機器として認証される。
【００１０】
本発明に係る車載機器において、前記入力部に接続された機器を、前記出力部から出力すべきデジタルコンテンツのソース機器として選択する選択手段を有し、前記判定手段は、前記選択手段により前記第２機器が、前記出力部から出力すべきデジタルコンテンツのソース機器として選択されたときに、前記第２機器から前記第１機器にデジタルコンテンツを提供するための条件が満たされたと判定する構成とすることができる。
【００１１】
このような構成により、入力部に接続された第２機器が、出力部から出力すべきデジタルコンテンツのソース機器として選択されたときに、当該車載機器が、ソース機器として認証された前記第２機器からのデジタルコンテンツをシンク機器として認証された前記第１機器に中継するリピータ機器として認証される。
【００１２】
本発明に係る車載機器において、前記選択手段により前記第２機器が前記出力部から出力すべきデジタルコンテンツのソース機器として選択されたときに、それまで行われていた前記出力部から前記第１機器に対する前記デジタルコンテンツの出力を停止させるコンテンツ出力停止制御手段を有する構成とすることができる。
【００１３】
このような構成により、第２機器が出力部から出力すべきデジタルコンテンツのソース機器として選択されたときに、それまで行われていた前記出力部から第１機器に対する前記デジタルコンテンツの出力が停止され、そして、当該車載機器のリピータ機器としての認証が行われる。
【００１４】
また、本発明に係る車載機器は、所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器であって、前記出力部に前記所定のインタフェース規格に適合した第１機器が接続されている状態で、当該車載機器及び前記第１機器において当該車載機器を前記所定のインタフェース規格に定められたデジタルコンテンツの送信側のソース機器として認証するとともに前記第１機器を前記所定のインタフェース規格に定められたデジタルコンテンツの受信側のシンク機器として認証するための第１認証処理を行う第１認証手段と、前記出力部から前記シンク機器として認証された前記第１機器に対してデジタルコンテンツが出力されている状態で、前記入力部に前記所定のインタフェース規格に適合した第２機器が接続されたときに、当該車載機器及び前記第２機器において当該車載機器を前記シンク機器として認証するとともに前記第２機器を前記ソース機器として認証するための第２認証処理を行う第２認証手段と、当該車載機器、前記第２機器、及び前記第１機器において、当該車載機器を、前記ソース機器として認証された前記第２機器と前記シンク機器として認証された前記第１機器との間でデジタルコンテンツを中継するリピータ機器として認証するための第３認証処理を行う第３認証手段とを有し、該第３認証手段による第３認証処理が終了した後、前記入力部から入力する前記第２機器からのデジタルコンテンツを中継して前記出力部から前記第１機器に出力し、更に、前記ソース機器として認証された前記第２機器から前記シンク機器として認証された前記第１機器にデジタルコンテンツを提供するための条件が満たされているか否かを判定する判定手段と、該判定手段により前記第２機器から前記第１機器にデジタルコンテンツを提供するための条件が満たされていないと判定されているときに、前記第３認証手段による前記第３認証処理を保留させる認証保留制御手段とを有する構成となる。
【００１５】
このような構成により、車載機器の出力部に所定のインタフェース規格に適合した第１機器が接続されると、当該車載機器がソース機器として認証されるとともに、前記第１機器がシンク機器として認証され、当該車載機器の前記出力部からデジタルコンテンツが前記第１機器に出力される。そして、前記出力部から前記シンク機器として認証された前記第１機器に対してデジタルコンテンツが出力されている状態で、前記入力部に前記所定のインタフェース規格に適合した第２機器が接続されたときに、当該車載機器がシンク機器として認証されるとともに、前記第２機器が前記ソース機器として認証される。そして、前記ソース機器として認証された前記第２機器から前記シンク機器として認証された前記第１機器にデジタルコンテンツを提供するための条件が満されていない状態では、車載機器がソース機器として認証された前記第２機器からのデジタルコンテンツをシンク機器として認証された前記第１機器に中継するリピータ機器として認証することが保留される。
【００１６】
本発明に係る機器認証方法は、所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器を含む車載システムでの機器認証方法であって、前記車載機器の前記出力部に前記所定のインタフェース規格に適合した第１機器が接続されている状態で、前記車載機器及び前記第１機器において、前記車載機器を前記所定のインタフェース規格に定められたデジタルコンテンツの送信側のソース機器として認証するとともに前記第１機器を前記所定のインタフェース規格に定められたデジタルコンテンツの受信側のシンク機器として認証する第１認証ステップと、前記車載機器の前記出力部から前記シンク機器として認証された前記第１機器に対してデジタルコンテンツが出力されている状態で、前記車載機器の前記入力部に前記所定のインタフェース規格に適合した第２機器が接続されたときに、前記車載機器及び前記第２機器において、前記車載機器を前記シンク機器として認証するとともに前記第２機器を前記ソース機器として認証する第２認証ステップと、前記車載機器において、前記ソース機器として認証された前記第２機器から前記シンク機器として認証された前記第１機器にデジタルコンテンツを提供するための条件が満たされているか否かを判定する判定ステップと、該判定ステップにより前記第２機器から前記第１機器にデジタルコンテンツを提供するための条件が満たされていると判定されたときに、前記車載機器、前記第２機器、及び前記第１機器において、前記車載機器を、前記ソース機器として認証された前記第２機器と前記シンク機器として認証された前記第１機器との間でデジタルコンテンツを中継するリピータ機器として認証する第３認証ステップとを有する構成となる。
【００１７】
また、本発明に係る機器認証方法は、所定のインタフェース規格に適合した機器が接続されて該機器からのデジタルコンテンツを入力する入力部と、前記所定のインタフェース規格に適合した機器が接続されて該機器にデジタルコンテンツを出力する出力部とを有する車載機器を含む車載システムでの機器認証方法であって、前記車載機器の前記出力部に前記所定のインタフェース規格に適合した第１機器が接続されている状態で、前記車載機器及び前記第１機器において、前記車載機器を前記所定のインタフェース規格に定められたデジタルコンテンツの送信側のソース機器として認証するとともに前記第１機器を前記所定のインタフェース規格に定められたデジタルコンテンツの受信側のシンク機器として認証する第１認証ステップと、前記車載機器の前記出力部から前記シンク機器として認証された前記第１機器に対してデジタルコンテンツが出力されている状態で、前記車載機器の前記入力部に前記所定のインタフェース規格に適合した第２機器が接続されたときに、前記車載機器及び前記第２機器において、前記車載機器を前記シンク機器として認証するとともに前記第２機器を前記ソース機器として認証する第２認証ステップと、前記車載機器、前記第２機器、及び前記第１機器において、前記車載機器を、前記ソース機器として認証された前記第２機器と前記シンク機器として認証された前記第１機器との間でデジタルコンテンツを中継するリピータ機器として認証する第３認証ステップと、前記車載機器において、前記ソース機器として認証された前記第２機器から前記シンク機器として認証された前記第１機器にデジタルコンテンツを提供するための条件が満たされているか否かを判定する判定手段と、該判定ステップにより前記第２機器から前記第１機器にデジタルコンテンツを提供するための条件が満たされていないと判定されているときに、前記第３認証ステップによる前認証を保留させる認証保留制御ステップとを有する構成となる。
【発明の効果】
【００１８】
本発明に係る車載機器によれば、出力部からシンク機器として認証された第１機器に対してデジタルコンテンツが出力されている状態で、入力部にソース機器としての第２機器が接続されたときに、即座に、車載機器がソース機器として認証される前記第２機器からのデジタルコンテンツをシンク機器として認証された前記第１機器に中継するリピータ機器として認証されることなく、前記第２機器から前記第１機器にデジタルコンテンツを提供するための条件が満たされた時点で、当該車載機器が前記第２機器からのデジタルコンテンツを前記第１機器に中継するリピータ機器として認証されるので、当該車載機器の前記リピータ機器としての認証に際してシンク機器として認証された前記第１機器へのデジタルコンテンツの出力が停止されたとしても、利用者が、前記第２機器から前記第１機器にデジタルコンテンツを提供するための条件が満たされたことを、第１機器に出力されるデジタルコンテンツの切り替えのタイミングであることとして理解することにより、認証処理に起因した接続機器（第１機器）の出力変動による当該利用者の不快感が低減され得る。
【図面の簡単な説明】
【００１９】
【図１】本発明の実施の形態に係る車載機器の構成を示すブロック図である。
【図２】車載機器、携帯端末、及び後部表示機器で構成される車載システムにおいて映像コンテンツが配信される際の処理の流れを示すシーケンス図である。
【図３】図２に示す車載システムでの処理において車載機器の処理ユニット１１で実行される処理の流れを示すフローチャートである。
【図４】車載機器の表示部に表示されるソース機器の選択画面の一例を示す図である。
【発明を実施するための形態】
【００２０】
以下、本発明の実施の形態について図面に基づいて説明する。
【００２１】
本発明の実施の形態に係る車載機器は、図１に示すように構成される。
【００２２】
図１において、車載機器１００は、コンピュータユニット（ＣＰＵを含む）を有し、プログラムに従って各種処理を実行する処理ユニット１１を有している。処理ユニット１１には、デジタル映像コンテンツを出力するＡＶユニット群１７（ＣＤ／ＤＶＤドライブ、デジタルテレビ、デジタルラジオ等を含む）及び車両の経路案内等のナビゲーション処理を行うナビゲーションユニット１８が接続されている。また、処理ユニット１１には、スピーカ１６が接続された出力回路１５が接続されている。処理ユニット１１の制御のもと、ＡＶユニット群１７及びナビゲーションユニット１８からの音声信号が出力回路１５を介してスピーカ１６に供給され、その音声信号に基づいた音声がスピーカ１６から出力される。処理ユニット１１には、更に、ＡＶユニット群１７により再生処理されるオーディオ情報やビデオ情報（デジタル映像コンテンツ）、また、ナビゲーションユニット１８での処理に利用される地図情報等の各種情報を記憶する記憶部１４（例えば、ハードディスクドライブ）が接続されている。
【００２３】
また、車載機器１００は、ＬＣＤパネルによって構成され、車両の前席側のインストルメントパネル等に設けられた表示部１３と、その表示部１３（ＬＣＤパネル）に一体的に設けられたタッチパネル等によって構成される操作部１２とを有している。処理ユニット１１は、操作部１２での操作に従った入力情報に基づいて各種処理を実行し、各種の処理により得られる画像等の情報を表示部１３に表示させることができる。
【００２４】
更に、車載機器１００は、ＨＤＭＩ入力部１９及び入力端子２０を有している。ＨＤＭＩ入力部１９は、処理ユニット１１の制御のもと、入力端子２０にＨＤＭＩケーブルにより接続されるＨＤＭＩのインタフェース規格に適合した機器（例えば、スマートフォン３００）からＨＤＭＩに規定される規則に従って出力されるデジタル映像コンテンツの信号を入力する。処理ユニット１１は、ＨＤＭＩ入力部１１にて入力されたデジタル映像コンテンツを表示部１３に表示させることができる。車載機器１００は、ＨＤＭＩ出力部２１及び出力端子２２を有している。ＨＤＭＩ出力部２１は、処理ユニット１１の制御のもと、ＡＶユニット群１７から提供されるデジタル映像コンテンツを出力端子２２にＨＤＭＩケーブルによって接続されるＨＤＭＩのインタフェース規格に適合する機器（例えば、後部座席側に設けられた後部表示機器２００）にＨＤＭＩのインタフェース規格に規定される規則に従って出力する。
【００２５】
また、処理ユニット１１は、入力端子２０に接続される機器からＨＤＭＩ入力部１９により入力されたデジタル映像コンテンツをＨＤＭＩ出力部２１から出力端子２２に接続される機器に出力させることができる。
【００２６】
図１に示す車載機器１００の出力端子２２に車両の後部座席側に設けられた後部表示器２００（ＨＤＭＩに適合）が接続され、次いで、入力端子２０にスマートフォン３００（ＨＤＭＩに適合）が接続される場合、車載機器１００、後部表示機器２００及びスマートフォン３００では、図２に示すシーケンスに従って処理が行われる。その際、車載機器１００の処理ユニット１１は、図３に示す手順に従って処理を実行する。
【００２７】
車載機器１００において出力端子２２を介してＨＤＭＩ出力部２１に後部表示機器２００（ＨＤＭＩ適合機器：第１機器）が接続されていることが確認されると（図２における（１）参照）、車載機器１００及び後部表示器２００において、車載機器１００がデジタルコンテンツの送信側のソース機器として認証され、後部表示機器２００がデジタルコンテンツの受信側のシンク機器として認証される（図２における（２）参照）。この過程で、車載機器１００の処理ユニット１１は、ＨＤＭＩ出力部２１にＨＤＭＩ適合機器である後部表示器２００が接続されていることを判定すると（図３のＳ１１でＹＥＳ）、車載機器１００及び後部表示器２００において車載機器１００をソース機器として認証するとともに後部表示機器２００をシンク機器として認証するための第１ソース・シンク認証処理（第１認証処理）を行う（図３のＳ１２：第１認証手段）。載機器１００及び後部表示機器２００において、車載機器１００がソース機器として、後部表示器２００がシンク機器として認証されると、処理ユニット１１は、ＨＤＭＩ出力部２１に、ＡＶユニット群１７における例えばデジタルテレビからのデジタル映像コンテンツのＨＤＭＩに規定される規則に従った後部表示機器２００への出力を開始させる（図３のＳ１３）。これにより、ソース機器としての車載機器１００からシンク機器としての後部表示器２００への、例えば、デジタルテレビのデジタル映像コンテンツの配信が行われ、後部表示器２００は、配信されるそのデジタル映像コンテンツを出力（表示及び音声出力）する（図２参照）。
【００２８】
このように車載機器１００（ソース機器）から後部表示器２００（シンク機器）に対してデジタル映像コンテンツが出力されている状態で、車載機器１００において入力端子２０を介してＨＤＭＩ入力部１９にスマートフォン３００（ＨＤＭＩ適合機器：第２機器）が接続されていることが確認されると（図２における（３）参照）、車載機器１００及びスマートフォン３００において、車載機器１００がデジタルコンテンツの受信側のシンク機器として認証され、スマートフォン３００がデジタルコンテンツの送信側のソース機器として認証される（図２における（４）参照）。この過程で、ＨＤＭＩ出力部２１に前記デジタル映像コンテンツの後部表示器２００への出力を開始させた（図３におけるＳ１３参照）後、ＨＤＭＩ入力部２０にＨＤＭＩ適合機器が接続されることを監視している（図３におけるＳ１４参照）車載機器１００の処理ユニット１１は、ＨＤＭＩ入力部１９にＨＤＭＩ適合機器であるスマートフォン３００が接続されたことを判定すると（図３におけるＳ１４でＹＥＳ）、車載機器１００及びスマートフォン３００において車載機器１００をシンク機器として認証するとともにスマートフォン３００をソース機器として認証するための第２ソース・シンク認証処理（第２認証処理）を行う（図３のＳ１５：第２認証手段）。
【００２９】
この時点で、車載機器１００と後部表示器２００との間では、車載機器１００がソース機器として、後部表示器２００がシンク機器としてそれぞれ認識され、車載機器１００とスマートフォン３００との間では、車載機器１００がシンク機器として、スマートフォン３００がソース機器としてそれぞれ認識されている。そして、車載機器１００から出力される、例えば、デジタルテレビからのデジタル映像コンテンツが後部表示器２００に配信されて、そのデジタル映像コンテンツが後部表示器２００から出力されている。
【００３０】
この状況において、車載機器１００の処理ユニット１１は、再生されるソースがＨＤＭＩであるか否かを判定する（図３におけるＳ１６）。この時点で、ソース機器としてのスマートフォン３００（ＨＤＭＩ適合機器）からの映像コンテンツの再生が開始されていないので（図３におけるＳ１６でＮＯ）、処理ユニット１１は、例えば、利用者の操作部１２での操作に基づいて、図４に示すようなＡＶソース機器の選択画面（選択手段）を表示部１３に表示させる。そして、処理ユニット１１は、車載機器１００を、ＨＤＭＩ入力部１９に接続されるソース機器として認証されたスマートフォン３００とＨＤＭＩ出力部２１に接続されるシンク機器として認証された後部表示器２００との間でデジタル映像コンテンツを中継するリピータ機器として認証するためのリピータ認証処理の実行を保留する（図３におけるＳ１７：認証保留制御手段）。そして、処理ユニット１１は、表示部１３に表示された選択画面（図４参照）においてＡＶソース機器としてＨＤＭＩ適合機器を選択するための操作（図４における「ＭＤＭＩ」ボタンの操作）がなされるか否か、即ち、ソース機器として認証されたスマートフォン３００（第２機器）からシンク機器として認証された後部表示器２００（第１機器）にデジタル映像コンテンツを提供するための条件が満されているか否かを判定する（図３におけるＳ１８）。
【００３１】
そして、ＡＶソース機器の選択画面（図４参照）において、ＨＤＭＩ適合機器を選択するための操作（「ＨＤＭＩ」ボタンの操作）がなされると（Ｓ１８でＹＥＳ）、処理ユニット１１は、ソース機器として認証されたスマートフォン３００（第２機器）からシンク機器として認証された後部表示器２００（第１機器）にデジタル映像コンテンツを提供するための条件が満されていると判定し、ＨＤＭＩ出力部２１に接続されたシンク機器としての後部表示部２００に対するデジタルテレビのデジタル映像コンテンツの出力を停止させる（Ｓ１９）。
【００３２】
このように、車載システムでは、ＡＶソース機器としてＨＤＭＩ出力部２１に接続されたＨＤＭＩ適合機器が選択されると、車載機器１００から後部表示器２００へのデジタルテレビのデジタル映像コンテンツの配信が停止される（図２における（５）参照）。これにより、後部表示器１００でのデジタル映像コンテンツの出力（表示及び音声出力）がなくなり、例えば、後部表示器１００の画面が黒色になる。この状態で、車載機器１００、ＨＤＭＩ入力部１９に接続されたスマートフォン３００、及びＨＤＭＩ出力部２１に接続された後部表示器２００において、車載機器１００が、ソース機器として認証されたスマートフォン３００とシンク機器として認識された後部表示器３００において、スマートフォン３００と後部表示器２００との間でデジタル映像コンテンツを中継するリピータ機器として認証される（図２における（６）、（７）参照）。
【００３３】
この過程で、車載機器１００の処理ユニット１１は、デジタルテレビからのデジタル映像コンテンツのＨＤＭＩ出力部２１を介した後部表示器２００への出力を停止させた（図３におけるＳ１９参照）後、車載機器１００、スマートフォン３００、及び後部表示器２００において、車載機器１００を、スマートフォン３００と後部表示器２００との間でデジタル映像コンテンツを中継するリピータ機器として認証するためのリピータ認証処理（第３認証処理）を行う（図３におけるＳ２０：第３認証手段）。
【００３４】
その後、処理ユニット１１は、ＨＤＭＩ入力部１９から入力されるスマートフォン３００からのデジタル映像コンテンツを中継してＨＤＭＩ出力部２１から後部表示器２００に出力させる（図３におけるＳ２１）。これにより、スマートフォン３００からのデジタル映像コンテンツがリピータ機器として認証された車載機器１００を介して後部表示部２００に配信されるようになる（図２参照）。デジタル映像コンテンツの出力がなかった後部表示器２００からスマートフォン３００から提供されるデジタル映像コンテンツが表示されるようになる。
【００３５】
なお、車載機器１００の処理ユニット１１は、スマートフォン３００からのデジタル映像コンテンツの後部表示器２００への中継転送を開始した後、予め定めた手順に従った所定の処理を実行する（図３における＊印参照）。また、ソース機器としてのＨＤＭＩ適合機器からの映像コンテンツの再生が開始されるのであれば（Ｓ１６でＹＥＳ）、処理ユニット１１は、前記リピータ認証処理を保留することなく実行し、そのＨＤＭＩ適合機器からのデジタル映像コンテンツを中継して後部表示器３００に出力するための処理を行う（図３におけるＳ２１）
【００３６】
更に、ＨＤＭＩ出力部２１にＨＤＭＩ適合機器が接続されない場合（図３におけるＳ１１でＮＯ）、選択画面（図４参照）において、ＨＤＭＩ適合機器が選択されない場合（図３におけるＳ１８でＮＯ）、処理ユニット１１は、予め定めた手順に従った所定の処理を実行する（図３における＊印参照）。
【００３７】
上述したような車載機器１００によれば、ＨＤＭＩ出力部２１からシンク機器として認証された後部表示器２００に対してデジタル映像コンテンツが出力されている状態で、ＨＤＭＩ入力部１９にソース機器としてのスマートフォン３００が接続されたときに、即座に、車載機器１００がソース機器として認証されるスマートフォン３００からのデジタル映像コンテンツをシンク機器として認証された後部表示器２００に中継するリピータ機器として認証されることなく、図４に示すようなＡＶソース機器の選択画面でＨＤＭＩ適合機器が選択されて、スマートフォン３００から後部表示器２００にデジタルコンテンツを提供するための条件が満たされた時点で、車載機器１００がスマートフォン３００からのデジタル映像コンテンツを後部表示器２００に中継するリピータ機器として認証される。このため、車載機器１００のリピータ機器としての認証に際してシンク機器として認証された後部表示器２００へのデジタルテレビのデジタル映像コンテンツの出力が停止されたとしても、自分の意思で、デジタル映像コンテンツのソース機器を切り替えるために選択画面を操作した利用者は、後部表示器２００に出力されるデジタル映像コンテンツの切り替えのタイミングであることを理解しているので、前記リピータ認証がされている際に後部表示器２００からデジタル映像コンテンツの出力がなくなっても、その出力変動を不快に感ずることが低減され得る。
【産業上の利用可能性】
【００３８】
本発明に係る車載装置は、認証処理に起因した接続機器の出力変動による利用者の不快感を低減させることができるという効果を有し、ＨＤＭＩ（High Definition Multimedia Interface）等の所定のインタフェース規格に適合した機器が接続され該機器からのデジタルコンテンツを入力する入力部と、前記所定のインタフェース規格に適合した機器が接続され該機器にデジタルコンテンツを出力する出力部とを有する車載機器として有用である。
【符号の説明】
【００３９】
１１  処理ユニット
１２  操作部
１３  表示部
１４  記憶部
１５  出力回路
１６  スピーカ
１７  ＡＶユニット群
１８  ナビゲーションユニット
１９  ＨＤＭＩ入力部
２０  入力端子
２１  ＨＤＭＩ出力部
２２  出力端子
１００  車載機器
２００  後部表示器
３００  スマートフォン
【図１】
2015220467.tif 000003
【図２】
2015220467.tif 000004
【図３】
2015220467.tif 000005
【図４】
2015220467.tif 000006